(57)【要約】      （修正有）【課題】Ｒ型火災報知設備の伝送機能を利用して電話子機を指定した呼出しを含む高度な通話制御と電話ジャックに対する電話子機の接続による通話を両立する利便性の高い通話機能を実現可能とする火災報知設備を抵抗する。【解決手段】受信機１０には電話親機２８の通話接続を制御する電話親機制御部４６が設けられ、受信機からの伝送回線１２ａ,１２ｂ及び電話回線１６ａ,１６ｂには電話子機２０の通話接続を制御する電話中継器１８が接続される。電話親機制御部と電話中継器は、伝送回線により通話制御コマンドを送受信して電話回線に対する電話親機と電話子機の通話接続を制御する。更に電話回線には発信機３６の電話ジャック３８が接続され、保守電話子機４０を接続すると電話親機制御部が電話親機を電話回線に接続して保守電話子機との通話接続を確立する。【選択図】図１
2019149156.tif 000002
【特許請求の範囲】
【請求項１】
受信機から警戒区域に引き出され、固有のアドレスが設定された火災感知器を含む端末機器が接続された伝送回線と、
前記受信機から前記伝送回線と共に前記警戒区域に引き出され、前記受信機に設けた電話親機と前記警戒区域に設置された電話子機を通話接続する電話回線と、
が設けられた火災報知設備に於いて、
前記受信機に設けられ、前記電話親機の通話接続を制御する電話親機制御部と、
前記伝送回線と前記電話回線に接続されると共に固有のアドレスが設定され、前記電話子機の通話接続を制御する電話中継器と、
が設けられ、前記電話親機制御部と前記電話中継器は、前記伝送回線により所定の通話制御信号を送受信して前記電話回線に対する前記電話親機と前記電話子機の通話接続を制御し、更に、
前記電話回線に接続された電話ジャックと、
前記電話ジャックに着脱自在に接続される保守電話子機と、
が設けられ、
前記電話親機制御部は、前記保守電話子機が前記電話ジャックに接続された場合に前記電話親機を前記電話回線に接続して前記保守電話子機に通話接続させることを特徴とする火災報知設備。
【請求項２】
請求項１記載の火災報知設備に於いて、
前記受信機は前記電話ジャックに前記保守電話子機が接続された場合の回線電圧の変化を検出して通話検出信号を出力する通話検出回路部を備え、前記電話親機制御部は、前記通話検出回路部から前記通話検出信号を入力した場合に、前記電話親機を前記電話回線に接続して前記保守電話子機に通話接続させることを特徴とする火災報知設備。
【請求項３】
請求項１記載の火災報知設備に於いて、
前記電話親機制御部は、前記通話検出回路部から前記通話検出信号を入力した場合に、通話呼出しを行うと共に保守電話子機の呼出しを画面表示し、前記電話親機のオフフックを検出した場合に前記電話親機を前記電話回線に接続することを特徴とする火災報知設備。
【請求項４】
請求項１記載の火災報知設備に於いて、
前記電話親機制御部は、前記電話親機と１の電話子機の通話接続中に、保守電話子機の前記電話ジャックへの接続を検出した場合に保守電話子機の通話呼出を報知し、保守電話子機の通話接続に切り替えるとともに、前記１の電話子機の電話中継部のアドレスを指定した保留コマンド信号を送信して前記１の電話子機を前記電話回線から切り離して所定の保留中音を出力させることを特徴とする火災報知設備。
【請求項５】
受信機から警戒区域に引き出され、固有のアドレスが設定された火災感知器を含む端末機器が接続された伝送回線と、
前記受信機から前記警戒区域に引き出され、前記受信機に設けた非常電話親機と前記警戒区域に設置された非常電話子機を通話接続する非常電話回線と、
前記受信機から前記警戒区域に引き出され、前記受信機に設けた保守電話親機と前記警戒区域に設置された保守電話子機を通話接続する保守電話回線と、
が設けられた火災報知設備に於いて、
前記受信機に設けられ、非常電話親機と非常電話子機の通話接続を制御する電話親機制御部と、
前記伝送回線と前記非常電話回線に接続されると共に固有のアドレスが設定され、前記非常電話子機の通話接続を制御する電話中継器と、
が設けられ、前記電話親機制御部と前記電話中継器は、前記伝送回線により所定の通話制御信号を送受信して前記非常電話回線に対する前記電話親機と前記非常電話子機の通話接続を制御し、更に、
前記保守電話回線に接続された電話ジャックと、
前記電話ジャックに着脱自在に接続される保守電話子機と、
が設けられ、
前記電話親機制御部は、前記保守電話子機が前記電話ジャックに接続された場合に前記電話親機を前記保守電話回線に接続して前記保守電話子機に通話接続させることを特徴とする火災報知設備。
【請求項６】
請求項５記載の火災報知設備に於いて、前記電話親機制御部は、前記非常電話子機と前記保守電話子機の各々の発信による通話を制御すると共に、前記保守電話子機と前記非常電話子機の両方からの発信が重複したとき少なくとも何れか一方を選択して通話を制御することを特徴とする火災報知設備。
【発明の詳細な説明】
【技術分野】
【０００１】
本発明は、受信機からの火災感知器を接続した伝送回線及び電話回線を使用して電話親機と電話子機を通話接続する火災報知設備に関する。
【背景技術】
【０００２】
従来、Ｒ型として知られた火災報知設備にあっては、受信機から引き出された伝送回線に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００３】
このように、火災を検出した火災感知器のアドレスが分かると、適切な避難誘導や消火活動が可能となり、特に規模の大きな設備の火災監視には不可欠な機能となっている。
【０００４】
また、火災報知設備にあっては、非常通話装置として、受信機に電話親機が設けられ、受信機から警戒区域に引き出された電話回線に発信機等に設けられた電話ジャックが接続され、火災発生時や点検時などには、担当者が携帯している保守電話子機を発信機等の電話ジャックに接続すると受信機で通話呼出が行われ、電話親機をオフフックすることで保守電話子機との通話接続を確立することができる。
【０００５】
また、火災報知設備の関連設備として、非常電話設備が設けられる場合もある。非常電話設備は受信機と同じ場所に電話親機が設けられた非常電話盤が設置され、非常電話盤から警戒区域に電話回線と制御回線が引き出されて非常電話子機が接続されている。
【０００６】
火災報知設備の保守電話設備は、電話親機から保守電話子機を指定して呼び出すことができないが、非常電話設備は、非常電話盤から電話番号による呼出操作により非常電話子機を任意に指定して呼び出すことができ、火災等の非常時のみならず、日常的な設備を維持管理するための通話連絡にも利用することができる。
【先行技術文献】
【特許文献】
【０００７】
【特許文献１】特開２００４−０６４７０９号公報
【特許文献２】特開２０１７−００４４５１号公報
【特許文献３】特開２０１６−０７６０６４号公報
【特許文献４】特開２０１７−０６８５２３号公報
【発明の概要】
【発明が解決しようとする課題】
【０００８】
しかしながら、このような電話子機を指定して呼び出すことのできる従来の非常電話設備は、火災報知設備の関連設備として設けなければならないため、設備コストが嵩む問題かあり、一方、電話回線の電話ジャックに保守電話子機を接続して電話親機に通話接続する火災報知設備の保守電話設備は、設備コストは少なくて済むが、電話子機を指定した呼出し等の高度な通話制御ができず、非常電話設備に比べ利便性が低いという問題がある。
【０００９】
本発明は、Ｒ型の火災報知設備に使用されている伝送機能を利用して電話子機を指定した呼出しを含む高度な通話制御に加え、電話ジャックに対する電話子機の接続による通話を両立可能とする利便性の高い通話機能を備えた火災報知設備を提供することを目的とする。
【課題を解決するための手段】
【００１０】
（火災報知設備）
本発明は、
受信機から警戒区域に引き出され、固有のアドレスが設定された火災感知器を含む端末機器が接続された伝送回線と、
受信機から伝送回線と共に警戒区域に引き出され、受信機に設けた電話親機と警戒区域に設置された電話子機を通話接続する電話回線と、
が設けられた火災報知設備に於いて、
受信機に設けられ、電話親機の通話接続を制御する電話親機制御部と、
伝送回線と電話回線に接続されると共に固有のアドレスが設定され、電話子機の通話接続を制御する電話中継器と、
が設けられ、電話親機制御部と電話中継器は、伝送回線により所定の通話制御信号を送受信して電話回線に対する電話親機と電話子機の通話接続を制御し、更に、
電話回線に接続された電話ジャックと、
電話ジャックに着脱自在に接続される保守電話子機と、
が設けられ、
電話親機制御部は、保守電話子機が電話ジャックに接続された場合に電話親機を電話回線に接続して保守電話子機に通話接続させることを特徴とする。
【００１１】
（通話検出回路部）
受信機は電話ジャックに保守電話子機が接続された場合の回線電圧の変化を検出して通話検出信号を出力する通話検出回路部を備え、電話親機制御部は、通話検出回路部から通話検出信号を入力した場合に、電話親機を電話回線に接続して保守電話子機に通話接続させる。
【００１２】
（保守電話子機の呼出し）
電話親機制御部は、通話検出回路部から通話検出信号を入力した場合に、通話呼出しを行うと共に保守電話子機の呼出しを画面表示し、電話親機のオフフックを検出した場合に電話親機を電話回線に接続する。
【００１３】
（保守電話子機の優先と電話子機の保留音）
電話親機制御部は、電話親機と１の電話子機の通話接続中に、保守電話子機の電話ジャックへの接続を検出した場合に保守電話子機の通話呼出を報知し、保守電話子機の通話接続に切り替えるとともに、１の電話子機の電話中継部のアドレスを指定した保留コマンド信号を送信して１の電話子機を電話回線から切り離して所定の保留中音を出力させる。
【００１４】
（非常電話設備と保守電話設備を備えた火災報知設備）
本発明の別の形態にあっては、受信機から警戒区域に引き出され、固有のアドレスが設定された火災感知器を含む端末機器が接続された伝送回線と、
受信機から警戒区域に引き出され、受信機に設けた電話親機と警戒区域に設置された非常電話子機を通話接続する非常電話回線と、
受信機から警戒区域に引き出され、受信機に設けた電話親機と警戒区域に設置された保守電話子機を通話接続する保守電話回線と、
が設けられた火災報知設備に於いて、
受信機に設けられ、電話親機の通話接続を制御する電話親機制御部と、
伝送回線と非常電話回線に接続されると共に固有のアドレスが設定され、非常電話子機の通話接続を制御する電話中継器と、
が設けられ、電話親機制御部と電話中継器は、伝送回線により所定の通話制御信号を送受信して非常電話回線に対する電話親機と非常電話子機の通話接続を制御し、更に、
保守電話回線に接続された電話ジャックと、
電話ジャックに着脱自在に接続される保守電話子機と、
が設けられ、
電話親機制御部は、保守電話子機が電話ジャックに接続された場合に電話親機を保守電話回線に接続して保守電話子機に通話接続させることを特徴とする。
【００１５】
（非常電話子機と保守電話子機の通話制御）
電話親機制御部は、非常電話子機と保守電話子機の各々の発信による通話を制御すると共に、非常電話子機と保守電話子機の両方からの発信が重複したとき少なくとも何れか一方を選択して通話を制御する。
【発明の効果】
【００１６】
（基本的な効果）
本発明は、受信機から警戒区域に引き出され、固有のアドレスが設定された火災感知器を含む端末機器が接続された伝送回線と、受信機から伝送回線と共に警戒区域に引き出され、受信機に設けた電話親機と警戒区域に設置された電話子機を通話接続する電話回線とが設けられた火災報知設備に於いて、受信機に設けられ、電話親機の通話接続を制御する電話親機制御部と、伝送回線と電話回線に接続されると共に固有のアドレスが設定され、電話子機の通話接続を制御する電話中継器とが設けられ、電話親機制御部と電話中継器は、伝送回線により所定の通話制御信号を送受信して電話回線に対する電話親機と前記電話子機の通話接続を制御し、更に、電話回線に接続された電話ジャックと、電話ジャックに着脱自在に接続される保守電話子機とが設けられ、電話親機制御部は、保守電話子機が電話ジャックに接続された場合に電話親機を電話回線に接続して保守電話子機に通話接続させるようにしたため、Ｒ型の火災報知設備に使用されている伝送回線による伝送機能を通話制御に利用することで、電話子機を指定した呼出しを含む高度な通話制御が簡単且つ低コストで実現することができる。
【００１７】
また、伝送回線を利用した電話子機を指定した呼出しを含む高度な通話制御に加え、その機能を損なうことなく、電話ジャックに対する携帯型の保守電話子機の接続により通話を行う保守電話装置との両立が可能となり、更に、高い利便性が得られる。
【００１８】
（通話検出回路部の効果）
また、受信機は電話ジャックに保守電話子機が接続された場合の回線電圧の変化を検出して通話検出信号を出力する通話検出回路部を備え、電話親機制御部は、通話検出回路部から通話検出信号を入力した場合に、電話親機を電話回線に接続して保守電話子機に通話接続させるようにしたため、電話ジャックに対する携帯型の保守電話子機の接続を確実に検出して電話親機との通話接続を確立することができる。
【００１９】
（保守電話子機からの呼出しに対する効果）
また、電話親機制御部は、通話検出回路部から通話検出信号を入力した場合に、通話呼出しを行うと共に保守電話子機の呼出しを画面表示し、電話親機のオフフックを検出した場合に電話親機を電話回線に接続するようにしたため、電話ジャックに保守電話子機を接続した場合に受信機から通話呼出音を出力すると共に画面表示により担当者が携帯する保守電話子機からの通話呼出しであることを知って適切に対応できる。
【００２０】
（保守電話子機の優先と電話子機の保留音による効果）
また、電話親機制御部は、電話親機と１の電話子機の通話接続中に、保守電話子機の電話ジャックへの接続を検出した場合に保守電話子機の通話呼出を報知し、保守電話子機の通話接続に切り替えるとともに、１の電話子機の電話中継部のアドレスを指定した保留コマンド信号を送信して１の電話機を電話回線から切り離して所定の保留中音を出力させるようにしたため、電話親機と電話子機の通話中に電話ジャックへ保守電話子機が接続されると、電話親機と電話子機によるそれまでの通話接続を保留して保守電話子機との通話を優先的に行うことができる。
【００２１】
（非常電話設備と保守電話設備を備えた火災報知設備）
本発明の別の形態にあっては、受信機から警戒区域に引き出され、固有のアドレスが設定された火災感知器を含む端末機器が接続された伝送回線と、受信機から警戒区域に引き出され、受信機に設けた電話親機と警戒区域に設置された非常電話子機を通話接続する非常電話回線と、受信機から警戒区域に引き出され、受信機に設けた電話親機と警戒区域に設置された保守電話子機を通話接続する保守電話回線と、が設けられた火災報知設備に於いて、受信機に設けられ、電話親機の通話接続を制御する電話親機制御部と、伝送回線と非常電話回線に接続されると共に固有のアドレスが設定され、非常電話子機の通話接続を制御する電話中継器と、が設けられ、電話親機制御部と電話中継器は、伝送回線により所定の通話制御信号を送受信して非常電話回線に対する電話親機と非常電話子機の通話接続を制御し、更に、保守電話回線に接続された電話ジャックと、電話ジャックに着脱自在に接続される保守電話子機と、が設けられ、電話親機制御部は、保守電話子機が電話ジャックに接続された場合に電話親機を保守電話回線に接続して保守電話子機に通話接続させるようにしたため、非常電話回線を使用した非常電話設備については、発信元を表示した高度な通話制御が簡単且つ低コストで実現することができ、また、保守電話回線を使用した保守電話設備については、電話ジャックに対する携帯型の保守電話子機の接続により通話を行うことができ、非常電話設備と保守電話設備との両立が可能となり、更に、高い利便性が得られる。
【００２２】
また、非常電話親機装置の機能が受信機に一体化されたことで、火災報知設備と非常電話設備の設置スペースが低減し、更に、非常電話子機又は保守電話子機との通話は同じ電話親機を使用して共通に行うことができ、場所を変えることなく通話操作も簡単且つ容易にできる。
【００２３】
（非常電話子機と保守電話子機の通話制御による効果）
また、電話親機制御部は、非常電話子機と保守電話子機の各々の発信による通話を制御すると共に、非常電話子機と保守電話子機の両方からの発信が重複したとき少なくとも何れか一方を選択して通話を制御するようにしたため、保守電話子機と非常電話子機の着信が重複しても、必要に応じて発信者を自由に選択した通話を可能とする。
【図面の簡単な説明】
【００２４】
【図１】通話制御機能を備えた火災報知設備の実施形態を示した説明図
【図２】図１の電話中継器の実施形態を示したブロック図
【図３】図１の受信機に設けられた電話親機回路部及び通話検出回路部の実施形態を示したブロック図
【図４】電話親機により電話子機を指定して呼出す通話制御を示したタイムチャート
【図５】電話子機のオフフックによる電話親機との通話制御を示したタイムチャート
【図６】電話親機が別の電話子機の通話中に電話子機がオフフックした場合の通話制御を示したタイムチャート
【図７】電話親機と電話子機の通話中に別の電話子機の通話呼出を受けて切り替えた場合の通話制御を示したタイムチャート
【図８】電話親機と２台の電話子機による３者通話の通話制御を示したタイムチャート
【図９】電話ジャックに保守電話子機を接続して行う通話制御を示したタイムチャート
【図１０】非常用放送設備に連動する非常電話設備と保守点検で使用する保守電話設備の通話制御機能を備えた火災報知設備の実施形態を示した説明図
【発明を実施するための形態】
【００２５】
［火災報知設備］
（通話制御機能を備えた火災報知設備の概要）
図１は通話制御機能を備えた火災報知設備の概要を示した説明図である。図１に示すように、火災報知設備が設置された建物の一階の管理人室などには例えばＲ型の受信機１０が設置され、受信機１０から警戒区域に対し伝送回線１２ａ，１２ｂと電話回線１６ａ，１６ｂが引き出されている。
【００２６】
伝送回線１２ａ，１２ｂには固有のアドレスが設定された伝送機能を有する複数の火災感知器１４と中継器１５が接続されている。また、伝送回線１２ａ，１２ｂと電話回線１６ａ，１６ｂには、電話子機２０が設けられた複数の電話中継器１８が接続され、電話中継器１８には固有のアドレスが設定され、伝送機能と通話制御機能を有する。また、電話子機２０に対応して受信機１０には電話親機２８が設けられている。なお、電話回線１６ａ，１６ｂは可聴帯域の音声周波数帯域３００〜３４００Ｈとなる音声信号の伝送品質を確保している。
【００２７】
ここで、伝送回線１２ａ，１２ｂに接続される火災感知器１４、中継器１５及び電話中継器１８に設定される最大アドレス数は例えば２５５としており、伝送回線１２ａ，１２ｂには最大２５５台の火災感知器１４、中継器１５及び電話中継器１８を含む端末機器が接続できる。
【００２８】
中継器１５に対しては発信機３６が接続されている。発信機３６には発信機釦３６ａが設けられ、火災時に発信機釦３６ａを押し込み操作によりオンすると発信信号が中継器１５に出力され、中継器１５から伝送回線１２ａ，１２ｂを介して受信機１０に火災通報信号が送信され、火災警報が出力される。
【００２９】
また、発信機３６には電話ジャック３８が設けられており、電話ジャック３８は電話回線１６ａ，１６ｂに接続されている。電話ジャック３８に担当者が携帯している保守電話子機４０のプラグ４２を差し込むと、電話回線１６ａ，１６ｂに保守電話子機４０が接続され、受信機１０に設けられた電話親機２８との通話接続が確立されて通話を行うことができる。
【００３０】
（受信機の機能構成）
受信機１０は、受信制御部２２、伝送部２４、電話親機回路部２６、電話親機２８、タッチパネル付きのディスプレイ３０、表示部３１、操作部３２、スピーカを備えた警報部３３、移報部３４及び通話検出回路部３５を備える。
【００３１】
受信制御部２２はＣＰＵ、メモリ、各種の入出力ポート等を備えたコンピュータ回路等とする。伝送部２４は、伝送回線１２ａ，１２ｂに接続した火災感知器１４、中継器１５又は電話中継器１８との間で、所定の通信プロトコルに従って信号を送受信する。
【００３２】
伝送部２４から火災感知器１４、中継器１５又は電話中継器１８に対する下り信号は電圧モードで伝送している。この電圧モードの信号は、伝送回線１２ａ，１２ｂの線路電圧を例えば１８ボルトと３０ボルトの間で変化させる電圧パルスとして伝送される。
【００３３】
これに対し火災感知器１４、中継器１５又は電話中継器１８から受信機１０に対する上り信号は電流モードで伝送される。この電流モードにあっては、伝送回線１２ａ，１２ｂに伝送データのビット１のタイミングで信号電流を流し、いわゆる電流パルス列として上り信号が受信機に伝送される。
【００３４】
（火災監視制御部）
受信機１０の受信制御部２２にはＣＰＵによるプログラムの実行で実現される機能として、火災監視制御部４４の機能が設けられる。
【００３５】
火災監視制御部４４は、通常の監視中にあっては、一定周期毎に、伝送部２４に指示して、一括ＡＤ変換コマンドを含むブロードキャストの一括ＡＤ変換信号を送信しており、この一括ＡＤ変換信号を受信した火災感知器１４は、煙濃度又は温度をセンサデータとして検出して保持し、中継器１５はそのときの発信機信号を検出して保持する。続いて、火災監視制御部４４は、端末アドレスを順次指定したポーリングコマンドを含む呼出信号を送信している。
【００３６】
火災感知器１４は自己アドレスに一致するアドレスを持つ呼出信号を受信すると、そのとき保持しているセンサデータを含む応答信号を受信機１０に送信する。また、火災感知器１４は火災を検出すると受信機１０に対し火災割込み信号を送信する。
【００３７】
中継器１５も自己アドレスに一致するアドレスを持つ呼出信号を受信すると、そのとき保持している発信機信号を含む応答信号を受信機１０に送信する。また、中継器１５は発信機３６の発信機釦３６ａの押し込み操作によりオンした発信機信号を受信すると、火災通報信号として受信機１０に対し火災感知器１４と同様に火災割込み信号を送信する。
【００３８】
火災監視制御部４４は伝送部２４を介して火災割込み信号を受信するとグループ検索コマンド信号を送信して火災を検出している火災感知器１４及び中継器１５を含むグループを特定し、続いて、グループ内検索コマンド信号を送信して火災を検出している火災感知器１４又は中継器１５のアドレスを特定し、火災警報を出力すると共に火災発生アドレス又は発信機アドレスを表示し、その後、特定した火災感知器１４又は中継器１５から火災データを収集して監視する制御を行う。
【００３９】
（電話親機制御部）
受信機１０の受信制御部２２にはＣＰＵによるプログラムの実行で実現される機能として、電話親機制御部４６の機能が設けられる。
【００４０】
電話親機制御部４６は、伝送部２４に指示し、電話中継器１８との間で伝送回線１２ａ，１２ｂを介して各種の通話制御に必要なコマンド信号を送受信し、電話回線１６ａ，１６ｂを介して電話親機２８と電話子機２０の通話接続や通話カット（通話切離し）の制御を行う。
【００４１】
本実施形態の電話親機制御部４６による通話制御は次のものがある。
（１）  電話子機を指定した呼出しによる通話制御。
（２）  電話子機からの呼出しによる通話制御。
（３）  電話子機との通話中に別の電話子機からの呼出しによる通話切替え制御。
（４）  電話親機と電話子機２台の３者通話制御。
（５）  電話ジャックに対する保守電話子機の接続による通話制御。
【００４２】
これらの内、（１）〜（４）の通話制御では、コマンド信号として、発呼コマンド信号、着呼応答コマンド信号、保留コマンド信号、通話中コマンド信号等が使用される。発呼コマンド信号は、電話子機に通話呼出を要求する信号である。着呼応答コマンド信号は、発呼コマンド信号の受信で電話子機がオフフックされた場合に送信される信号である。保留コマンド信号は電話子機に保留音の出力を指示する信号である。通話中コマンド信号は、電話子機に通話中音の出力を指示する信号である。このようなコマンド信号を使用した通信制御の詳細は後の説明で明らかにされる。
【００４３】
（通話検出回路部）
受信機１０に設けられた通話検出回路部３５は、発信機３６の電話ジャック３８に保守電話子機４０のプラグ４２を差し込んで電話回線１６ａ，１６ｂに接続した場合に回線電流が流れることから、この回線電流を検出して通話検出信号を受信制御部２２に出力する。
【００４４】
受信制御部２２に設けられた電話親機制御部４６は、通話検出回路部３５から通話検出信号を入力すると、警報部３３のスピーカから保守電話子機４０の通話接続に基づく呼出音を出力し、これを聞いて担当者が電話親機２８を取り上げると、電話親機２８のオフフックの検出に基づき、電話親機２８を電話親機回路部２６により電話回線１６ａ，１６ｂに接続し、保守電話子機４０との通話接続を確立させる制御を行う。
【００４５】
［電話中継器の構成］
図２は図１の電話中継器の実施形態を示したブロック図である。図２に示すように、電話中継器１８の回路部は、伝送回線１２ａ，１２ｂ側の回路部として、電話子機制御部４８と伝送部５０が設けられ、電話回線１６ａ，１６ｂ側の回路として、接続切替部５２、制御音生成部５４、一対のスイッチ回路部５６、トランス５８、フックスイッチ６０及びスピーカ６１が設けられ、電話子機２０には受話器４５と送話器４７が設けられている。
【００４６】
電話子機制御部４８は、ＣＰＵ、メモリ、各種の入出力ポート等を備えたコンピュータ回路等で構成され、ＣＰＵによるプログラムの実行により電話子機制御部４８の機能が実現される。
【００４７】
本実施形態の電話子機制御部４８による通話制御は次のものがある。
（１）  電話親機の呼出しによる通話制御。
（２）  電話親機からの呼出しによる通話制御。
（３）  別の電話子機との通話中の電話親機の呼出しによる通話切替え制御。
（４）  電話親機と電話子機２台の３者通話制御。
【００４８】
これらの通話制御では、コマンド信号として、発呼コマンド信号、着呼応答コマンド信号、保留コマンド信号、通話中コマンド信号等が使用され、通話制御の詳細は後の説明で明らかにされる。
【００４９】
伝送部５０は伝送回線１２ａ，１２ｂを介して図１に示した受信機１０の伝送部２４との間で通話制御に必要な各種のコマンド信号を、火災監視の場合と同じ通信プロトコルに従って送受信する。また、伝送部５０は受信機１０からの下り信号を電圧モードで受信し、受信機１０に対する上り信号は電流モードで送信する。
【００５０】
接続切替部５２は、電話子機制御部４８の指示により動作してリレー接点や半導体スイッチ素子等を用いたスイッチ回路部５６をオン、オフし、電話子機２０の電話回線１６ａ，１６ｂに対する接続とカット（切離し）を行う。
【００５１】
制御音生成部５４は、電話子機制御部４８の指示により動作し、所定の回線接続音、電話親機に対する呼出音、保留音、通話中音等の音声信号を生成して電話子機２０の送話器４７に出力し、また、電話親機からの呼出しに応じて呼出音の音声信号を生成してスピーカ６１に出力する。
【００５２】
トランス５８は一次巻線を電話回線１６ａ，１６ｂに接続し、二次巻線に受話器４５を接続しており、所定の直流電圧が重畳された電話回線１６ａ，１６ｂから交流となる音声信号のみを受話器４５に取り出すと共に増幅し、更に、ハウリングを防止している。電話子機２０の送話器４７は電話回線１６ａ，１６ｂ側に接続している。
【００５３】
フックスイッチ６０は電話子機２０のオフフック又はオンフックを検出してオフフック検出信号又はオンフック検出信号を電話子機制御部４８に出力する。
【００５４】
なお、図２の電話回線１６ａ，１６ｂ側の電話機回路は基本的なアナログ電話機回路を示しており、これに限定されず、必要に応じて音声増幅器を設けてもよく、更に、デジタル音声信号を受信してＤＡ変換して受話器４５に出力し、送話器４７からの音声信号をＡＤ変換して送信するデジタル電話機回路としても良い。
【００５５】
［受信機の電話親機回路部及び通話検出回路部の構成］
図３は図１の受信機に設けられた電話親機回路部及び通話検出回路部の実施形態を示したブロック図である。
【００５６】
（電話親機回路部）
図３に示すように、電話親機回路部２６は、接続切替部６２、制御音生成部６４、一対のスイッチ回路部６６、トランス６８及びフックスイッチ７０が設けられ、電話親機２８には受話器７２と送話器７４が設けられている。電話親機回路部２６からは電話回線１６ａ，１６ｂ間に例えばＤＣ４８Ｖの電話回線電圧Ｖｔが印加されている。
【００５７】
接続切替部６２は、図１の電話親機制御部４６の指示により動作してスイッチ回路部６６をオン、オフし、電話親機２８の電話回線１６ａ，１６ｂに対する接続とカット（切離し）を行う。
【００５８】
制御音生成部６４は、電話親機制御部４６の指示により動作し、所定の回線接続音、電話子機２０の呼出しを示す呼出音、保留音、通話中音等の音声信号を生成して電話親機２８の受話器７２に出力し、また、電話子機２０又は保守電話子機４０からの呼出しに対し呼出音の音声信号を生成し、例えば警報部３３に設けられたスピーカに出力する。
【００５９】
トランス６８は一次巻線を電話回線１６ａ，１６ｂに接続し、二次巻線に受話器７２を接続しており、所定の電話回線電圧Ｖｔが重畳された電話回線１６ａ，１６ｂから交流となる音声信号のみ受話器７２に取り出すと共に増幅し、更に、ハウリングを防止している。電話親機２８の送話器７４は電話回線１６ａ，１６ｂ側に接続している。
【００６０】
フックスイッチ７０は電話親機２８のオフフック又はオンフックを検出してオフフック検出信号又はオンフック検出信号を電話親機制御部４６に出力する。
【００６１】
なお、図３の電話回線１６ａ，１６ｂ側の電話機回路は、図２の電話中継器１８と同様に、基本的なアナログ電話機回路を示しており、これに限定されず、必要に応じて音声増幅器を設けたり、更に、デジタル電話機回路としても良い。
【００６２】
（通話検出回路部）
図３に示すように、通話検出回路部３５は、所定の回線電圧Ｖｔが印加された電話回線１６ａとマイナス側となる電話回線１６ｂとの間に、抵抗７６，７８，８０が直列接続され、抵抗７６と抵抗７８の間から端末側に電話回線１６ａが引き出され、抵抗７８と抵抗８０の間から通話検出信号を取り出して受信制御部２２に出力している。
【００６３】
図１に示すように、発信機３６の電話ジャック３８に保守電話子機４０のプラグ４２が差し込まれて電話回線１６ａ，１６ｂ間に保守電話子機４０が接続されると、保守電話子機４０も図２に示した電話子機２０又は図３に示した電話親機２８と同じ、トランス、受話器及び送話器を備えた電話機回路を持つことから、送話器がトランス一次巻線を介して電話回線１６ａ，１６ｂの間に接続されることで、所定の回線電流が流れる。
【００６４】
この保守電話機４０の電話ジャック３８への接続に伴う回線電流は、図３に示した通話検出回路部３５の抵抗７６を介して電話回線１６ａに流れ、抵抗７６の電圧降下分だけ回線電圧が低下し、抵抗７８，８０で分割された通話検出信号として出力さける検出電圧も低下し、受信制御部２２の電話親機制御部４６は、通話検出信号のレベル低下から保守電話子機４０の接続を判別し、呼出音の出力と保守電話子機４０の呼出しを示す画面表示を行うことになる。
【００６５】
［電話親機と電話子機の通話制御］
（電話親機による電話子機の指定呼出し）
図４は電話親機により電話子機を指定して呼出す通話制御を示したタイムチャートであり、図１に示した受信機１０の電話親機制御部４６と図２に示した電話中継器１８の電話子機制御部４８による制御動作となる。
【００６６】
担当者が警戒区域にいる担当者と連絡をとるため電話親機２８を取り上げると、フックスイッチ６０からオフフック検出信号が出力され、図４に示すように、電話親機制御部４６はステップＳ１で電話親機２８のオフフックを判別してステップＳ２に進み、ディスプレイ３０に子機呼出画面を表示し、同時に、制御音生成部６４に指示して電話親機２８の受話器７２から例えば「ツ―」といった連続音となる回線接続音を出力させる。
【００６７】
ステップＳ２でディスプレイ３０に表示された子機呼出画面には、０，１〜９、♯、＊配列したキー釦が表示されており、呼出先の電話子機の電話番号をタッチする子機呼出操作を行うと、電話親機制御部４６はステップＳ３で子機呼出操作を認識してステップＳ４進み、呼出し電話番号に対応した中継器アドレスを指定した発呼コマンド信号を伝送部２４に指示して伝送回線１２ａ，１２ｂに送信する。このとき電話親機２８からは電話子機に対する呼出音が出力される。
【００６８】
電話中継器１８の電話子機制御部４８は、伝送回線１２ａ，１２ｂを介して伝送部５０により自己アドレスを指定した発呼コマンド信号を受信すると、ステップＳ５で制御音生成部５４に指示してスピーカ６１から呼出音を出力させる通話呼出しを行う。
【００６９】
この通話呼出しに対し現場にいる担当者が電話子機２０を取り上げると、フックスイッチ６０からのオフフック検出信号によりステップＳ６でオフフックが判別され、ステップＳ７で伝送部５０に指示して自己アドレスを含む着呼応答コマンド信号を伝送回線１２ａ，１２ｂを介して受信機１０に送信し、続いて、ステップＳ９で接続切替部５２に指示してスイッチ回路部５６をオンし、電話子機２０側の電話機回路部を電話回線１６ａ，１６ｂに接続する通話接続を行う。
【００７０】
受信機１０の電話親機制御部４６は、電話中継器１８からステップＳ７で送信された着呼応答コマンド信号を受信すると、電話子機２０に対する呼出音の出力を停止し、ステップＳ９で接続切替部６２に指示してスイッチ回路部６６をオンし、電話親機２８の電話親機回路部２６を電話回線１６ａ，１６ｂに接続する通話接続を行う。
【００７１】
これにより電話親機２８と呼出された電話子機２０が電話回線１６ａ，１６ｂに接続されて通話を行うことができる。通話が終了すると電話親機２８及び電話子機２０が戻されてステップＳ１０またはＳ１２でオンフックが判別され、ステップＳ１１またはＳ１３で電話回線１６ａ，１６ｂから切り離す通話カットが行われて通話が終了する。
【００７２】
（電話子機による電話親機の呼出し）
図５は電話子機により電話親機を呼出す通話制御を示したタイムチャートである。警戒区域にいる担当者が受信機１０側と連絡をとるため電話子機２０を取り上げると、フックスイッチ６０からオフフック検出信号が出力され、図５に示すように、電話子機制御部４８はステップＳ２１で電話子機２０のオフフックを判別してステップＳ２２に進み、制御音生成部５４に指示して電話子機２０の受話器４５から例えば「ツ―」といった連続音となる回線接続音を出力させる。
【００７３】
続いて、電話子機制御部４８はステップＳ２３で自己アドレスを含む発呼コマンド信号を伝送部５０に指示して伝送回線１２ａ，１２ｂを介して受信機１０に送信する。このととき電話子機２０からは電話親機２８に対する呼出音が出力される。
【００７４】
受信機１０の電話親機制御部４６は、伝送回線１２ａ，１２ｂを介して伝送部５０により中継器アドレスを含む発呼コマンド信号を受信すると、ステップＳ２４で警報部３３に指示してスピーカから呼出音を出力させることで通話呼出しを行い、続いて、ステップＳ２５に進んでディスプレイ３０に子機呼出画面を表示して呼出子機の電話番号等を表示する。
【００７５】
ステップＳ２４での呼出音を受けて担当者が受信機１０に設けている電話親機２８を取り上げると、電話親機制御部４６はステップＳ２６で電話親機２８のオフフックを判別し、ステップＳ２７で伝送部２４に指示して呼出しを行なった中継器アドレスを指定した着呼応答コマンド信号を伝送回線１２ａ，１２ｂに送信し、ステップＳ２８で接続切替部６２に指示してスイッチ回路部６６をオンすることで電話親機２８を電話回線１６ａ，１６ｂに通話接続する。
【００７６】
一方、電話子機制御部４８は、ステップＳ２７で受信機１０から送信された自己アドレスを指定した着呼応答コマンド信号を受信すると、電話親機２８に対する呼出音を停止してステップＳ２９に進み、接続切替部５２に指示してスイッチ回路部５６をオンすることで電話子機２０を電話回線１６ａ，１６ｂに通話接続する。
【００７７】
これにより電話子機２０と呼出された電話親機２８が電話回線１６ａ，１６ｂに接続されて通話を行うことができる。通話が終了すると電話子機２０及び電話親機２８が戻されてステップＳ３０またはＳ３２でオンフックが判別され、ステップＳ３１またはＳ３３で電話回線１６ａ，１６ｂから切り離す通話カットが行われて通話接続が終了する。
【００７８】
（電話親機が通話中の電話子機の呼出し）
図６は電話親機が別の電話子機と通話中に電話子機のオフフックした場合の通話制御を示したタイムチャートである。
【００７９】
図４に示した電話親機からの呼出し、又は、図５に示した電話子機からの呼出しによる電話親機の通話中に、図６に示すように、別の電話中継器１８の電話子機制御部４８が電話子機２０のオフフックがステップＳ４１で判別し、ステップＳ４２で回線接続音を電話子機２０から出力した後に、ステップＳ４３で自己アドレスを含む発呼コマンド信号を伝送回線１２ａ，１２ｂを介して受信機１０に送信し、警報部３３のスピーカから呼出音を出力させたとする。
【００８０】
この場合、受信機１０の電話親機制御部４６は、ステップＳ４３で電話中継器１８から送信された発呼コマンド信号を受信するが、ステップＳ４４で他の電話子機と通話中にあることを判別し、ステップＳ４５でディスプレイ３０に子機呼出画面に新たな子機呼出しを表示した後、ステップＳ４６で発呼コマンド信号を送信した電話中継器１８のアドレスを指定した通話中コマンド信号を伝送回線１２ａ，１２ｂに送信する。
【００８１】
電話中継器１８の電話子機制御部４８は、伝送回線１２ａ，１２ｂを介して自己アドレスを指定した通話中コマンド信号を受信すると、ステップＳ４７で制御音生成部５４に指示して電話子機２０の受話器４５から所定の通話中音を出力させる。
【００８２】
このため電話子機２０を取り上げた担当者は電話親機２８が通話中にあることを知って電話子機２０を元に戻し、電話子機制御部４８はステップＳ４８でオンフックを判別して通話接続を終了する。
【００８３】
（電話親機と電話子機の通話中の別の電話子機の通話呼出しによる通話切替え）
図７は電話親機と電話子機の通話中に別の電話子機の通話呼出を受けて切り替えた場合の通話制御を示したタイムチャートである。ここで、最初に通話呼出を行った電話中継器１８を電話中継器１８−１とし、次に通話呼出を行った電話中継器１８を電話中継器１８−２とし、それぞれに設けられた電話子機制御部４８を電話子機制御部４８−１，４８−２とし、電話子機２０を電話子機２０−１，２０−２とする。
【００８４】
図７に示すように、電話中継器１８−１の電話子機制御部４８−１からの呼出しにより受信機１０の電話親機制御部４６との間の通話制御により電話親機２８と電話子機２０−１とが通話接続を行っている。この場合のステップＳ５１〜Ｓ５９の通話制御は、図5のステップＳ２１〜Ｓ２９と同じになることから説明を省略する。
【００８５】
続いて、別の電話中継器１８−２の電話子機制御部４８−２がステップＳ６０で電話子機２０−２のフックオフを判別すると、回線接続音を電話子機２０−２から出力した後にステップＳ６１で自己アドレスを含む発呼コマンド信号を伝送回線１２ａ，１２ｂを介して電話親機２８が通話中の受信機１０に送信する。
【００８６】
受信機１０の電話親機制御部４６は、電話中継器１８−２から送信された発呼コマンド信号を受信すると、ステップＳ６２でディスプレイ３０に電話子機２０−２の呼出しを画面表示し、併せて所定の注意音を警報部３３のスピーカから出力させる。
【００８７】
これにより通話中の担当者は、別の電話子機２０−２から通話呼出があったことを知って選択する操作を行うと、電話親機制御部４６はステップＳ６３で別の電話子機２０−２の選択操作を認識してステップＳ６４に進み、電話中継器１８−２のアドレスを指定した着呼応答コマンド信号を伝送回線１２ａ，１２ｂに送信し、これが電話中継器１８−２で受信され、電話子機制御部４８−２はステップＳ６５で電話子機２０−２を電話回線１６ａ，１６ｂに接続する。
【００８８】
また、電話親機制御部４６はステップＳ６６で、それまで通話中にあった電話子機２０−１の電話中継器１８−１のアドレスを指定した保留コマンド信号を伝送回線１２ａ，１２ｂに送信し、これが電話中継器１８−１で受信され、電話子機制御部４８−１はステップＳ６７で電話回線１６ａ，１６ｂから電話子機２０−１を切り離す通話カットを行うと共に電話子機２０−１から所定の保留音を出力させる。
【００８９】
その後、電話親機２８と電話子機２０−２との通話が終了して電話子機制御部４８−２がステップＳ６８でオンフックを判別するとステップＳ６９に進み、自己アドレスを含む通話終了コマンド信号が伝送回線１２ａ，１２ｂに送信する。
【００９０】
電話親機制御部４６は電話中継器１８−２からの通話終了コマンド信号の受信を判別すると、ステップＳ７０で保留中にある電話中継器１８−１のアドレスを指定した保留解除コマンド信号を伝送回線１２ａ，１２ｂに送信し、電話子機制御部４８−１は自己アドレスを指定した保留解除コマンド信号を受信すると、ステップＳ７１で電話子機２０−１からの保留音の出力を停止し、電話子機２０−１を再び電話回線１６ａ，１６ｂに接続し、電話親機２８との通話を再開させる。
【００９１】
（３者通話）
図８は電話親機と２台の電話子機による３者通話の通話制御を示したタイムチャートであり、図７と同様に、３者通話を行う２台の電話中継器１８、電話子機２０及び電話子機制御部４８を、それぞれ電話中継器１８−１，１８−２、電話子機２０−１，２０−２及び電話子機制御部４８−１，４８−２としている。
【００９２】
図８に示す３者通話において、ステップＳ８１〜Ｓ９２の制御は、図７に示したステップＳ５１〜Ｓ６２と同じになることから、その説明を省略する。
【００９３】
図８の３者通話にあっては、電話親機２８と電話子機２０−１の通話接続中に、別の電話子機２０−２の電話中継器１８−２から発呼コマンド信号が送信されてステップＳ９２で電話子機２０−２の呼出しがディスプレイ３０に画面表示された場合、表示画面の中に３者通話の選択釦が表示され、３者通話の選択操作ができる。
【００９４】
このため電話親機制御部４６がステップＳ９３で３者通話の選択操作を認識するとステップＳ９４に進み、発呼コマンド信号を送信した電話中継器１８−２のアドレスを指定した着呼コマンド信号が伝送回線１２ａ，１２ｂに送信され、これを受信した電話子機制御部４８−２はステップＳ９５で電話子機２０−２を電話回線１６ａ，１６ｂに接続する。
【００９５】
続いて、電話親機制御部４６はステップＳ９６で電話中継器１８−１，１８−２のアドレスを指定した３者通話コマンド信号を伝送回線１６ａ，１６ｂに順次送信し、これを受信した電話子機制御部４８−１，４８−２はステップＳ９７，Ｓ９８で３者通話の開始を知らせる所定のメッセージが電話子機２０−１，２０−２から出力され、これによって電話親機制御部４６のステップＳ９９、電話子機制御部４８−１，４８−２のステップＳ１００，Ｓ１０１に示す３者通話が、電話親機２８、電話子機２０−１，２０−２の３台を電話回線１６ａ，１６ｂに接続することで行われる。
【００９６】
ここで、電話回線１６ａ，１６ｂに電話親機２８に加え複数の電話子機２０を接続することで、４者通話、５者通話等が実現可能であるが、電話回線１６ａ，１６ｂに対する電話機の接続数が増加すると、電話回線１６ａ，１６ｂにより伝送される音声信号のレベルが低下して通話品質が悪化することから、音声レベルの低下の少ない電話親機２８に加えて２台の電話子機を接続する電話機３台を電話回線１６ａ，１６ｂに接続する３者通話が最適といえる。
【００９７】
（電話ジャックに保守電話子機を接続して行う通話制御）
図９は電話ジャックに非常用電話子機を接続して行う通話制御を示したタイムチャートである。
【００９８】
図９に示すように、保守電話子機４０を携帯している担当者が受信機１０側と連絡をとるためステップＳ１１１で保守電話子機４０のプラグ４２を発信機３６の電話ジャック３８に差し込むと、保守電話子機４０が電話回線１６ａ，１６ｂに接続されて回線電流が流れ、受信機１０の通話検出回路部３５がステップＳ１１２で回線電圧の低下を検出して電話親機制御部４６に通話検出信号を出力する。
【００９９】
通話検出回路部３５からの通話検出信号を入力した電話親機制御部４６は、ステップＳ１１３で警報部３３に指示してスピーカから呼出音を出力させることで通話呼出しを行い、続いて、ステップＳ１１４に進んでディスプレイ３０に保守電話子機４０の呼出しを画面表示して報知する。
【０１００】
ステップＳ１１３での呼出音を受けて担当者が受信機１０に設けている電話親機２８を取り上げると、電話親機制御部４６はステップＳ１１５で電話親機２８のオフフックを判別し、ステップＳ１１６で接続切替部６２に指示してスイッチ回路部６６をオンすることで電話親機２８を電話回線１６ａ，１６ｂに通話接続し、保守電話装置４０との間で通話接続が確立される。
【０１０１】
通話が終了すると電話親機２８が戻され、電話親機制御部４６はステップＳ１１７で電話親機２８のオンフックを判別し、ステップＳ１１８で電話回線１６ａ，１６ｂから切り離す通話カットを行って通話接続が終了する。
【０１０２】
また、通話終了で保守電話子機４０はステップＳ１１９で電話ジャック３８から取り外されて電話回線１６ａ，１６ｂとの接続が解除され、これにより通話検出回路部３５で回線電圧が回復し、通報検出信号の出力が停止する。
【０１０３】
［非常電話設備と保守電話設備を備えた火災報知設備］
（設備の概要）
図１０は非常用放送設備に連動する非常電話設備と保守点検で使用する保守電話設備の通話制御機能を備えた火災報知設備の実施形態を示した説明図である。
【０１０４】
図１０に示すように、受信機１０から警戒区域に対し火災報知設備の伝送回線１２ａ，１２ｂ、非常電話設備の非常電話回線１６ｃ，１６ｄ及び保守電話設備の保守電話回線８４ａ，８４ｂが引き出されている。
【０１０５】
伝送回線１２ａ，１２ｂには固有のアドレスが設定された伝送機能を有する複数の火災感知器１４と中継器１５とアドレッサブル発信機３７が接続されている。また、伝送回線１２ａ，１２ｂと非常電話回線１６ｃ，１６ｄには、非常電話子機２０ａが設けられた複数の電話中継器１８が接続され、電話中継器１８には固有のアドレスが設定され、伝送機能と通話制御機能を有する。
【０１０６】
また、伝送回線１２ａ，１２ｂの中継器１５に対しては発信機３６が接続されている。発信機３６には発信機釦３６ａが設けられ、火災時に発信機釦３６ａを押し込み操作によりオンすると発信信号が中継器１５に出力され、中継器１５から伝送回線１２ａ，１２ｂを介して受信機１０に火災通報信号が送信され、火災警報が出力される。
【０１０７】
発信機３６には電話ジャック３８が設けられており、電話ジャック３８は保守電話回線８４ａ，８４ｂに接続されている。電話ジャック３８に担当者が携帯している保守電話子機４０ａのプラグ４２を差し込むと、保守電話回線８４ａ，８４ｂに保守電話子機４０ａが接続され、受信機１０に設けられた電話親機２８との通話接続が確立されて通話を行うことができる。
【０１０８】
アドレッサブル発信機３７にも発信機３６と同様に発信機釦３７ａが設けられ、火災時に発信機釦３７ａを押し込み操作によりオンすると伝送部３７ｂから伝送回線１２ａ，１２ｂを介して受信機１０に火災通報信号が送信され、火災警報が出力される。
【０１０９】
アドレッサブル発信機３７には発信機３６と同様に電話ジャック３８が設けられており、電話ジャック３８は保守電話回線８４ａ，８４ｂに接続されている。電話ジャック３８に担当者が携帯している保守電話子機４０ａのプラグ４２を差し込むと、保守電話回線８４ａ，８４ｂに保守電話子機４０ａが接続され、受信機１０に設けられた電話親機２８との通話接続が確立されて通話を行うことができる。
【０１１０】
非常電話子機２０ａと保守電話子機４０ａに対応して受信機１０には電話親機２８が設けられている。
【０１１１】
また、本実施形態は、火災報知設備に加え、非常用放送設備が設けられており、受信機１０と同じ管理人室等に設置された非常用放送盤９０から警戒区域に対し例えば階別の系統毎に分けて放送回線９２が引き出され、放送回線９２には放送用のスピーカ９４が接続されている。
【０１１２】
（受信機の機能構成）
受信機１０は、受信制御部２２、伝送部２４、非常電話親機回路部２６ａ、保守電話親機回路部３６ｂ、電話親機２８、タッチパネル付きのディスプレイ３０、表示部３１、操作部３２、スピーカを備えた警報部３３、移報部３４、通話検出回路部３５及び切替部８２を備える。
【０１１３】
受信機１０の受信制御部２２にはＣＰＵによるプログラムの実行で実現される機能として、電話親機制御部４６の機能が設けられる。火災監視制御部４４は図１の実施形態と同じになることから、その説明は省略する。
【０１１４】
（電話親機制御部）
電話親機制御部４６は、非常電話子機２０ａの着信に対する通話制御と、保守電話子機４０ａの着信に対する通話制御、非常電話子機２０ａと保守電話子機４０ａの着信が重複したときの通話制御を行う。
【０１１５】
電話中継器１８は図２に示したと同じであり、通話検出回路部３５は図３と同じになる。非常電話親機回路部２６ａと保守電話親機回路部２６ｂは、図３の電話親機回路部２６と基本的に同じになるが、親機電話２８との間に切替部８２が設けられ、非常電話の着信時に親機電話２８を非常電話親機回路２６ａ側に切替え、保守電話の着信時に親機電話２８を保守電話親機回路部２６ｂに切替える点で相違している。
【０１１６】
［通話制御］
電話親機制御部４６は、電話中継器１８及び中継器１６を経由した非常電話子機２０ａからの発信元アドレスを含む発呼コマンド信号に基づき、及び又は、通話検出回路部３５からの通話検出信号に基づき、電話親機２８との通話制御に必要な操作表示をディスプレイ３０に行い、画面操作等に基づき次に示す通話制御を行う。
【０１１７】
（保守電話着信）
定期点検時等に点検要員が携帯している保守電話子機４０ａの電話プラグ３０を発信機３６又はアドレッサブル発信機３７の電話ジャック３８に差し込んで保守用電話回線８４ａ，８４ｂに接続すると、保守電話子機４０ａの接続で流れる回線電流を受信機１０の通話検出回路部３５が検出し、電話親機制御部４６に通話検出信号を出力する。
【０１１８】
通話検出回路部３５から通話検出信号を入力した電話親機制御部４６は、ディスプレイ３０に保守電話の着信表示を行い、警報部３３のスピーカから所定の保守電話着信音（保守電話呼出音）を出力させ、電話親機２８を切替部８２により保守電話親機回路部２６ｂに切り替える。
【０１１９】
このような保守電話の着信を知った受信機１０側の防災管理者等が電話親機２８を取り上げると、電話親機２８のオフフック検出に基づき、電話親機２８は保守電話親機回路部２６ｂ及び保守電話回線８４ａ，８４ｂを介して発信した保守電話子機４０ａと通話接続され、必要な通話を行うことができる。
【０１２０】
（非常電話着信）
監視員等が巡回中に火災を発見した場合には、近くに設置されている非常電話子機２０ａを取り上げるとフックスイッチがオンし、電話中継器１８及び中継器１６を経由して受信機１０に発信元アドレスを含む発呼コマンド信号が送信される。非常電話子機２０ａからの発呼コマンド信号を受信した受信機１０の電話親機制御部４６は、発信アドレスに基づく発信場所と共に非常電話の着信をディスプレイ３０に表示し、警報部３３のスピーカから所定の非常電話着信音（非常電話呼出音）を出力させ、電話親機２８を切替部８２により非常電話親機回路部２６ａに切り替える。
【０１２１】
このような非常電話の着信を知った受信機１０側の防災管理者等が電話親機２８を取り上げると、電話親機２８のオフフック検出に基づき、電話親機２８は非常電話回線１６ｃ，１６ｄを介して発信した子機電話子機２０ａと通話接続され、必要な通話を行うことができる。
【０１２２】
また、受信機１０の電話親機制御部４６は、非常電話子機２０ａの取り上げによる発呼コマンド信号を電話中継器１８及び中継器１６を経由して受信した場合、所定時間以内、例えば１０秒以内に、移報部３４に指示して発信元アドレスに基づく火災発生地区を含む火災発信移報信号を非常用放送盤９０に出力する。
【０１２３】
受信機１０から火災発信移報信号を受信した非常用放送盤９０は、火災発生地区となる火災発生階およびその直上階を放送区域に指定して火災放送を行う。この火災放送は、例えば「火事です。火事です。○○地区で火災が発生しました。落ち着いて避難してください。」とする。また、非常用放送盤９０は、非常放送の開始から所定時間が経過すると、全ての放送区域に非常放送を行う全館一斉放送とする。
【０１２４】
（非常電話の重複着信）
また、受信機１０の電話親機制御部４６は、複数の非常電話子機２０ａからの発信が重複した場合、ディスプレイ３０に複数の発信元を表示し、画面操作により選択された発信元の非常電話子機２０ａと通話接続する制御を行う。このとき選択されなかった非常電話子機からは保留音を出力させる制御を行う。
【０１２５】
（非常電話と保守電話の重複着信）
また、受信機１０の電話親機制御部４６は、非常電話子機２０ａと保守電話子機４０ａの着信が重複した場合、ディスプレイ３０に非常電話の着信と保守電話の着信を表示し、画面操作により選択された発信元の非常電話子機２０ａ又は保守電話子機４０ａと通話接続する制御を行う。このとき選択されなかった電話子機からは保留音を出力させる制御を行う。なお、非常電話と保守電話の着信に予め優先度を設定し、優先度の高い着信側を選択して通話接続するようにしても良い。
【０１２６】
（非常電話と保守電話の表示の別形態）
また、非常電話子機２０ａの着信はディスプレイ３０で表示し、保守電話子機４０ａの着信は盤内に配置された保守電話灯により表示するようにしても良い。非常電話子機２０ａは固有の発信元アドレスを含む非常電話発信信号を送信するため設置場所を認識可能であるためディスプレイ３０で発信元を示すことが好適である。
【０１２７】
（保守電話子機接続時の接続場所特定情報の通信）
保守電話子機４０ａが発信機３６又はアドレッサブル発信機３７に接続されたとき、発信機３６又はアドレッサブル発信機３７はプラグの接続を検出して受信機１０に対して伝送回路上のアドレス情報を受信機１０に送信して、受信機１０は当該情報から保守電話子機４０ａが接続された発信機３６又はアドレッサブル発信機３７を特定する情報を表示するようにしても良い。非常電話子機２０ａと保守電話子機４０ａのいずれの着信元表示を可能とすることでどちらとの通話を優先させるか判断する助けとすることが可能となる。
【０１２８】
［本発明の変形例］
（電話ジャック）
上記の実施形態は、発信機に電話ジャックを設けた場合を例にとっているが、必要に応じて適宜の端末機器に電話ジャックを設けて良い。また、保守電話設備は、携帯型に限定されず、警戒区域に固定設置されて電話ジャックに差し込んで使用される保守電話子機としても良い。
【０１２９】
また、電話ジャックは受信機１０に設けても良い。例えば、図３に示した通話検出回路部３５から端末側に引き出された電話回線１６ａ，１６ｂの間に、電話ジャックのプラス側とマイナス側を、それぞれコンデンサを介して接続する。この場合には、受信機の電話ジャックと発信機の電話ジャックの各々に保守電話子機をプラグ差し込みにより接続することで、保守電話子機間での通話接続を確立することができる。
【０１３０】
（保守電話子機の優先と電話子機の保留音）
上記の実施形態の電話親機制御部４６は、電話親機２８と何れかの非常話子機２０の通話接続中に、保守電話子機４０の電話ジャック３８への接続を検出した場合に保守電話子機４０ａの通話呼出を報知し、保守電話子機４０の通話接続に切り替えるとともに、通話中の非常電話子機２０の電話中継部１８のアドレスを指定した保留コマンド信号を送信して非常電話子機２０を電話回線１６ａ，１６ｂから切り離して所定の保留中音を出力させる。
【０１３１】
これにより電話親機２８と非常電話子機２０の通話中に電話ジャック３８へ保守電話子機４０が接続されると、電話親機２８と非常電話子機２０によるそれまでの通話接続を保留して保守電話子機４０との通話を優先的に行うことができる。
【０１３２】
また、電話親機２８と保守電話子機４０の通話が終わると、電話親機制御部４６より保留中の非常電話子機２０の電話中継部１８のアドレスを指定した保留解除コマンド信号を送信して非常電話子機２０を電話回線１６ａ，１６ｂに接続して、電話親機２８と非常電話子機２０の通話を復旧させるようにしても良い。
【０１３３】
（電話子機間の通話）
上記の実施形態は、受信機の電話親機と警戒区域に設置された電話子機との間の通話制御を例にとっているが、これに限定されず、電話中継器に電話番号を入力して通話呼出しを行う操作表示部を設けることで、ある電話子機から別の電話子機を指定した通話呼出しにより電話子機間での通話ができるようにしても良い。
【０１３４】
（ハンズフリー通話機能）
上記の実施形態は、電話親機と電話子機による通話を例にとっているが、これに限定されず、受信機の電話親機及び電話中継器の電話子機のそれぞれに加え、マイクとスピーカを電話機近傍のパネル面等に設置し、所定のスイッチ操作により電話機をマイクとスピーカに切替え、電話機を使用することなく通話するハンズフリー通話機能を設けるようにしても良い。
【０１３５】
（Ｐ型受信機）
上記の実施形態は、Ｒ型の受信機からの伝送回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、感知器回線を使用した各種のコマンド信号の送受信により、同様な通信制御を実現することができる。
【０１３６】
（その他）
また、本発明はその目的と利点を損なうことのない適宜の変形を含み、更に上記の実施形態に示した数値による限定は受けない。
【符号の説明】
【０１３７】
１０：受信機
１２：伝送回線
１４：火災感知器
１５：中継器
１６ａ，１６ｂ：電話回線
１６ｃ，１６ｄ：非常電話回線
１８：電話中継器
２０：電話子機
２０ａ：非常電話子機
２２：受信制御部
２４，５０：伝送部
２６：電話親機回路部
２６ａ：非常電話親機回路部
２６ｂ：保守電話親機回路部
２８：電話親機
３０：ディスプレイ
３５：通話検出回路部
３６：発信機
３７：アドレッサブル発信機
３８：電話ジャック
４０：保守電話子機
４０ａ：保守電話子機
４４：火災監視制御部
４６：電話親機制御部
４５，７２：受話器
４７，７４：送話器
４８：電話子機制御部
５２，６２：接続切替部
５４，６４：制御音生成部
５６，６６：スイッチ回路部
５８，６８：トランス
６０，７０：フックスイッチ
６１：スピーカ
７６，７８，８０：抵抗
８２：切替部
８４ａ，８４ｂ：保守電話回線
９０：非常用放送盤
９２：放送回線
９４：非常放送用スピース
【図１】
2019149156.tif 000003
【図２】
2019149156.tif 000004
【図３】
2019149156.tif 000005
【図４】
2019149156.tif 000006
【図５】
2019149156.tif 000007
【図６】
2019149156.tif 000008
【図７】
2019149156.tif 000009
【図８】
2019149156.tif 000010
【図９】
2019149156.tif 000011
【図１０】
2019149156.tif 000012